(57)【特許請求の範囲】
【請求項１】
第１遊技者が所有する遊技媒体を使用した景品交換が要求された場合、前記景品交換を要求した要求者が前記第１遊技者または前記第１遊技者に予め関連付けている第２遊技者であることを特定する要求者特定部と、
前記要求者が前記第１遊技者または前記第２遊技者である場合、前記第１遊技者が所有する前記遊技媒体を使用した前記景品交換を許可する交換許可部と
を備え、
前記要求者が前記第１遊技者である場合、前記景品交換に使用する遊技媒体として、遊技媒体管理機関に預けられている遊技媒体である貯遊技媒体および前記遊技媒体管理機関に預けられていない遊技媒体である持遊技媒体のいずれか一方を前記要求者に選択させる選択部をさらに備え、
前記交換許可部は、前記要求者により選択された前記第１遊技者が所有する貯遊技媒体または持遊技媒体を使用した前記景品交換を許可する、景品交換受付装置。
【請求項２】
前記要求者が前記第２遊技者である場合、前記交換許可部は、前記第１遊技者が所有する貯遊技媒体を使用した前記景品交換を許可する、請求項１に記載の景品交換受付装置。
【請求項３】
前記要求者が前記第１遊技者である場合、貯遊技媒体と持遊技媒体とのいずれかを前記要求者に選択させるための選択画面を表示部に表示させる表示制御部をさらに備える、請求項２に記載の景品交換受付装置。
【請求項４】
請求項１から請求項３のいずれか１つに記載の景品交換受付装置を備える台間機。
【請求項５】
第１遊技者が所有する遊技媒体を使用した景品交換が要求された場合、前記景品交換を要求した要求者が前記第１遊技者または前記第１遊技者に予め関連付けている第２遊技者であることを特定する要求者特定部と、前記要求者が前記第１遊技者または前記第２遊技者である場合、前記第１遊技者が所有する前記遊技媒体を使用した前記景品交換を許可する交換許可部とを有する景品交換受付装置を備える台間機。
【請求項６】
請求項１から請求項３のいずれか１つに記載の景品交換受付装置と、
顔認証装置と
を備え、
前記顔認証装置は、
複数の遊技者のそれぞれに対応づけて顔画像およびグループ情報を格納する顔画像格納部と、
前記要求者が撮像された撮像画像を前記顔画像と比較することにより、前記要求者が前記第１遊技者か、前記第１遊技者と同一のグループに属する前記第２遊技者か、前記第１遊技者および前記第２遊技者以外の遊技者かを判断する判断部と
を備え、
前記要求者特定部は、前記判断部による判断結果に基づいて、前記要求者が前記第１遊技者または前記第２遊技者であることを特定する、景品交換受付システム。
【請求項７】
前記景品交換受付装置は、
前記顔画像格納部に格納された前記第１遊技者の顔画像および前記顔画像格納部に格納された前記要求者の顔画像を、景品提供者の表示端末に表示することを命令する表示命令部をさらに備える、請求項６に記載の景品交換受付システム。
【発明の詳細な説明】
【技術分野】
【０００１】
本発明は、景品交換受付装置、台間機および景品交換受付システムに関する。
【背景技術】
【０００２】
特許文献１には、交換景品情報の示す景品の価値に相当する貯玉数が、貯玉情報の示す貯玉数よりも少ないときに、貯玉交換を可能にするワゴンサービス提供システムが開示されている。
特許文献１  特開２００４−２９８４３５号公報
【発明の概要】
【発明が解決しようとする課題】
【０００３】
遊技店などで提供されるワゴンサービスなどの遊技媒体を使用した景品交換において、利便性の向上が望まれている。
【課題を解決するための手段】
【０００４】
本発明の一態様に係る景品交換受付装置は、第１遊技者が所有する遊技媒体を使用した景品交換が要求された場合、上記景品交換を要求した要求者が上記第１遊技者または上記第１遊技者に予め関連付けている第２遊技者であることを特定する要求者特定部と、上記要求者が上記第１遊技者または上記第２遊技者である場合、上記第１遊技者が所有する上記遊技媒体を使用した上記景品交換を許可する交換許可部とを備える。
【０００５】
上記景品交換受付装置は、上記要求者が上記第１遊技者である場合、上記景品交換に使用する遊技媒体として、遊技媒体管理機関に預けられている遊技媒体である貯遊技媒体および上記遊技媒体管理機関に預けられていない遊技媒体である持遊技媒体のいずれか一方を上記要求者に選択させる選択部をさらに備え、上記交換許可部は、上記要求者により選択された上記第１遊技者が所有する貯遊技媒体または持遊技媒体を使用した上記景品交換を許可してよい。
【０００６】
上記景品交換受付装置において、上記要求者が上記第２遊技者である場合、上記交換許可部は、上記第１遊技者が所有する貯遊技媒体を使用した上記景品交換を許可してよい。
【０００７】
上記景品交換受付装置は、上記要求者が上記第１遊技者である場合、貯遊技媒体と持遊技媒体とのいずれかを上記要求者に選択させるための選択画面を表示部に表示させる表示制御部をさらに備えてよい。
【０００８】
本発明の一態様に係る台間機は、景品交換受付装置を備える。
【０００９】
本発明の一態様に係る景品交換受付システムは、上記景品交換受付装置と、顔認証装置とを備え、上記顔認証装置は、複数の遊技者のそれぞれに対応づけて顔画像およびグループ情報を格納する顔画像格納部と、上記要求者が撮像された撮像画像を上記顔画像と比較することにより、上記要求者が上記第１遊技者か、上記第１遊技者と同一のグループに属する上記第２遊技者か、上記第１遊技者および上記第２遊技者以外の遊技者かを判断する判断部とを備え、上記要求者特定部は、上記判断部による判断結果に基づいて、上記要求者が上記第１遊技者または上記第２遊技者であることを特定する。
【００１０】
上記景品交換受付システムにおいて、上記景品交換受付装置は、上記顔画像格納部に格納された上記第１遊技者の顔画像および上記顔画像格納部に格納された上記要求者の顔画像を、景品提供者の表示端末に表示することを命令する表示命令部をさらに備えてよい。
【００１１】
なお、上記の発明の概要は、本発明の特徴の全てを列挙したものではない。また、これらの特徴群のサブコンビネーションもまた、発明となりうる。
【図面の簡単な説明】
【００１２】
【図１】本実施形態に係る遊技媒体管理システムのシステム構成図の一例を示す図である。
【図２】遊技媒体管理装置の機能ブロックの一例を示す図である。
【図３】台間機の外観斜視図の一例を示す図である。
【図４】台間機の機能ブロックの一例を示す図である。
【図５】顔認証装置の機能ブロックの一例を示す図である。
【図６】顔画像格納部に格納される会員に関する情報を示すテーブルの一例を示す図である。
【図７】表示端末の機能ブロックの一例を示す図である。
【図８】台間機におけるワゴンサービスの処理手順の一例を示すフローチャートである。
【図９Ａ】ワゴンサービスの処理中に台間機の表示部に表示される画面の一例を示す図である。
【図９Ｂ】ワゴンサービスの処理中に台間機の表示部に表示される画面の一例を示す図である。
【図９Ｃ】ワゴンサービスの処理中に台間機の表示部に表示される画面の一例を示す図である。
【図９Ｄ】ワゴンサービスの処理中に台間機の表示部に表示される画面の一例を示す図である。
【図９Ｅ】ワゴンサービスの処理中に台間機の表示部に表示される画面の一例を示す図である。
【図１０】台間機からの認証要求に応じて顔認証装置が実行するグループ判定の処理手順の一例を示すフローチャートである。
【図１１】挿入された会員カードが要求者本人の会員カードである場合のワゴンサービスの処理手順の一例を示すフローチャートである。
【図１２】ワゴンサービスの処理中に台間機の表示部に表示される画面の一例を示す図である。
【図１３】表示端末におけるワゴンサービスの処理手順の一例を示すフローチャートである。
【図１４Ａ】ワゴンサービスの処理中に表示端末の表示部に表示される画面の一例を示す図である。
【図１４Ｂ】ワゴンサービスの処理中に表示端末の表示部に表示される画面の一例を示す図である。
【図１４Ｃ】ワゴンサービスの処理中に表示端末の表示部に表示される画面の一例を示す図である。
【発明を実施するための形態】
【００１３】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１４】
図１は、本実施形態に係る遊技媒体管理システムのシステム構成図の一例を示す図である。遊技媒体管理システムは、複数の台間機１００、遊技媒体管理装置２００、端末制御装置３００、無線基地局３１０、顔認証装置３２０、複数の表示端末４００、および遊技媒体管理機関５００を含む。
【００１５】
台間機１００は、遊技台に併設される。遊技台は、パチンコ台、パチスロ台など遊技者が遊技を行う装置である。台間機１００は、遊技者が遊技台で遊技する場合に、会員カード、プリペイドカードなどの有価価値記録媒体、または現金などにより遊技者が指定した度数、金額などを受け付け、受け付けた度数、金額などに応じた数の玉またはメダルなどの遊技媒体を貸し出す媒体貸出機である。
【００１６】
台間機１００は、貸し出した遊技媒体の数の情報を遊技媒体管理装置２００に供給する。台間機１００は、さらに、遊技者から遊技者が所有する遊技媒体を景品に交換する景品交換の要求を受け付ける。台間機１００は、景品交換の要求を表示端末４００を介して景品提供者である遊技店の店員に通知するように、端末制御装置３００に指示する。店員は、表示端末４００に表示された景品交換に関する情報を参照して、景品交換を要求した遊技者に景品を提供する。
【００１７】
ここで、景品とは、いわゆる一般景品であり、遊技者が遊技により獲得した遊技媒体の数に応じた金銭価値を有する品である。台間機１００を介して遊技媒体との交換が受け付けられる景品は、例えば、ワゴンサービスにより提供される飲食料品または嗜好品などである。
【００１８】
遊技者が所有する遊技媒体の中には、貯玉、貯メダルなどの貯遊技媒体および持玉、持メダルなどの持遊技媒体がある。貯遊技媒体は、例えば、第三者貯玉保証管理制度に従って遊技媒体を運用する遊技媒体管理機関５００に預けられている遊技媒体である。遊技媒体管理機関５００は、遊技店とは独立した機関でよい。持遊技媒体は、例えば、遊技媒体管理機関５００に預けられていない遊技媒体である。持遊技媒体は、一日などの予め定められた期間内で使用可能な遊技媒体でよい。また、貯遊技媒体は、予め定められた期間を過ぎて使用可能な遊技媒体でよい。さらに、貯遊技媒体が預けられる機関等は、遊技媒体管理機関５００以外でもよい。
【００１９】
通常、遊技者は、自身が所有する遊技媒体を使用して景品交換でき、自身以外の者が所有する遊技媒体を使用して景品交換をすることはできない。しかしながら、遊技者の家族などの特定の他の遊技者が所有する遊技媒体を使用して景品交換ができれば、遊技者の利便性が向上する。そこで、本実施形態に係る台間機１００は、遊技者が所有する遊技媒体のほかに、その遊技者に予め関連付けられた家族などの同一グループの他の遊技者が所有する遊技媒体を使用した景品交換をできるように構成する。これにより、遊技媒体を使用した景品交換の利便性を向上させることができる。
【００２０】
また、景品交換には、遊技者が所有する貯遊技媒体のほかに、遊技者が所有する持遊技媒体も使用できることが好ましい。しかしながら、例えば、遊技台の中には、遊技者が遊技媒体に触れることができない、いわゆる封入式遊技台がある。このような遊技台では、遊技者の手元に持遊技媒体がないので、持遊技媒体を使用してワゴンサービスなどの景品交換を即座にできない場合もある。
【００２１】
さらに、例えば、遊技者が遊技を行う際に、貯遊技媒体から持遊技媒体に交換する場合がある。そして、貯遊技媒体から持遊技媒体へ交換する場合、交換手数料に相当する数の貯遊技媒体が、遊技者が所有する貯遊技媒体から差し引かれる場合が多い。一方、貯遊技媒体を使用して景品交換を行う場合、通常交換手数料はかからない。しかしながら、貯遊技媒体から持遊技媒体への交換と、貯遊技媒体から景品への交換とが区別されずに、貯遊技媒体を使用した景品交換に手数料がかかってしまう場合がある。
【００２２】
そこで、本実施形態に係る台間機１００は、景品交換に必要な遊技媒体として、遊技者が所有する貯遊技媒体のほかに持遊技媒体も遊技者が容易に選択できるように構成する。これにより、景品交換時の遊技者の利便性を向上させることができる。例えば、遊技者がワゴンサービスを利用する場合に、本来、差し引かれる必要のない手数料がかかってしまうことを防止でき、遊技者が不利益を被ることを防止できる。
【００２３】
遊技媒体管理装置２００は、受け付けた現金、会員カードまたはプリペイドカードの残度数などの情報と共に、貸し出した遊技媒体の数の情報を管理する。遊技媒体管理装置２００は、遊技者毎に、遊技媒体管理機関５００に預けられている遊技媒体である貯遊技媒体の数と、遊技媒体管理機関５００に預けられていない遊技媒体である持遊技媒体の数とをそれぞれ管理する。
【００２４】
遊技媒体管理装置２００は、定期的に、遊技者毎の貯遊技媒体の数を遊技媒体管理機関５００に提供する。遊技媒体管理装置２００は、例えば、遊技店の閉店後に、その遊技店が管理している遊技者毎の貯遊技媒体の数を遊技媒体管理機関５００に提供する。遊技媒体管理機関５００は、例えば、遊技店の開店前に、その遊技店が管理している遊技者毎の貯遊技媒体の数を遊技媒体管理装置２００に提供する。
【００２５】
端末制御装置３００は、台間機１００からの指示に応じて、遊技店の店員が保持する表示端末４００に無線基地局３１０を介して情報を提供する。無線基地局３１０は、いわゆるアクセスポイントであり、無線を介して表示端末４００と通信する。表示端末４００は、例えば、遊技者から景品交換の要求があったことを店員に通知する。
【００２６】
顔認証装置３２０は、遊技者の顔認証を行う。顔認証装置３２０は、例えば、遊技台に座っている遊技者の顔画像と、その遊技者が使用している会員カードの会員番号に予め関連付けられている顔画像との比較に基づき、遊技者が会員カードに登録された人物であることを認証する。
【００２７】
図２は、遊技媒体管理装置２００の機能ブロックの一例を示す図である。遊技媒体管理装置２００は、遊技媒体情報格納部２０２、遊技媒体情報提供部２０４、および遊技媒体情報更新部２０６を備える。遊技媒体情報格納部２０２は、遊技者毎の貯遊技媒体の数および持遊技媒体の数を示す遊技媒体情報を格納する。遊技媒体情報格納部２０２は、遊技者の会員番号に関連付けて、貯遊技媒体の数および持遊技媒体の数を格納してよい。遊技媒体情報提供部２０４は、台間機１００からの要求に応じて、指定された遊技者の貯遊技媒体の数および持遊技媒体の数を含む遊技媒体情報を台間機１００に提供する。遊技媒体情報提供部２０４は、定期的に、例えば一日単位で、遊技者毎の貯遊技媒体の数を含む遊技媒体情報を遊技媒体管理機関５００に提供してよい。
【００２８】
遊技媒体情報更新部２０６は、台間機１００からの要求に応じて、遊技媒体情報格納部２０２に格納された、指定された遊技者の貯遊技媒体の数および持遊技媒体の数を含む遊技媒体情報を更新する。遊技媒体情報更新部２０６は、定期的に、例えば一日単位で、遊技媒体管理機関５００から提供される遊技者毎の貯遊技媒体の数を含む遊技媒体情報に基づいて、遊技媒体情報格納部２０２に格納された遊技者毎の貯遊技媒体の数を更新してよい。
【００２９】
図３は、台間機１００の外観斜視図の一例である。台間機１００は、カード挿入部１０２、表示部１０６、および撮像部１３０を備える。カード挿入部１０２は、遊技者が所有する会員カードまたはプリペイドカードを挿入する挿入口である。表示部１０６は、遊技者に提供する情報を表示する。表示部１０６は、遊技者から指示を受け付けるタッチパネル形式の液晶パネルを含む。表示部１０６は、例えば、ワゴンサービスなどの景品交換に関する情報を表示する。表示部１０６は、遊技者からワゴンサービスなどの景品交換の要求を受け付ける。撮像部１３０は、台間機１００に併設されている遊技台に座っている遊技者の顔を含む画像を撮像する。
【００３０】
図４は、台間機１００の機能ブロックの一例である。台間機１００は、カード挿入部１０２、カード情報取得部１０４、表示部１０６、遊技処理部１０８、景品交換受付部１１０、撮像部１３０、および画像処理部１３２を備える。景品交換受付部１１０は、景品交換受付装置の一例である。カード情報取得部１０４は、カード挿入部１０２に挿入されたカードに記憶されている会員番号などのカード情報を取得する。遊技処理部１０８は、遊技者の遊技台を用いた遊技に応じた遊技処理を実行する。遊技処理部１０８は、例えば、表示部１０６を介して遊技者から貯遊技媒体から持遊技媒体への交換の要求を示す媒体交換要求に応じて、要求された数を貯遊技媒体から持遊技媒体へ交換するよう遊技媒体管理装置２００に指示する。遊技媒体管理装置２００は、媒体交換要求に応じて、対応する遊技者が所有する貯遊技媒体および持遊技媒体の数を更新する。
【００３１】
画像処理部１３２は、撮像部１３０により撮像された画像から顔を含む顔画像を抽出する。画像処理部１３２は、画像内から顔を構成する部位の配置などのパターンにより顔を含む顔画像を抽出してよい。画像処理部１３２は、顔画像に含まれる顔の特徴量を導出してよい。特徴量は、人物などの対象物を識別可能な情報であればよく、画像の画素値の情報、または画像に含まれる顔の目、鼻、口の間隔または大きさ、肌の色、髪型などの外見的特徴を数値で示した情報などでよい。画像処理部１３２は、顔画像および特徴量を顔認証装置３２０に提供する。顔認証装置３２０は、画像処理部１３２から提供された顔画像および特徴量を用いて、遊技者の顔認証を行う。
【００３２】
景品交換受付部１１０は、表示部１０６を介して遊技者から景品交換の要求を受けたことに対応して、遊技者から景品交換の要求があったことを店員に知らせるべく、端末制御装置３００に通知する。
【００３３】
景品交換受付部１１０は、遊技媒体情報取得部１１２、表示制御部１１４、選択部１１６、処理命令部１１８、表示命令部１２０、要求者特定部１２２、交換許可部１２４を含む。遊技媒体情報取得部１１２は、遊技媒体管理装置２００から遊技者の遊技媒体情報を取得する。遊技媒体情報取得部１１２は、カード情報取得部１０４により取得された会員番号に対応する遊技者の遊技媒体情報を遊技媒体管理装置２００から取得してよい。
【００３４】
要求者特定部１２２は、第１遊技者が所有する遊技媒体を使用した景品交換が要求された場合、景品交換を要求した要求者が第１遊技者または第１遊技者に予め関連付けている第２遊技者であることを特定する。要求者特定部１２２は、カード挿入部１０２に挿入された会員カードにより特定される会員が所有している遊技媒体を使用した景品交換が要求された場合、景品交換を要求した要求者が、その会員、またはその会員と同一グループに属する他の会員であることを特定してよい。要求者特定部１２２は、顔認証装置３２０の遊技者の顔認証の結果に基づいて、景品交換を要求した要求者が第１遊技者または第１遊技者に予め関連付けている第２遊技者であることを特定してよい。
【００３５】
交換許可部１２４は、要求者が第１遊技者または第１遊技者に予め関連付けられている第２遊技者である場合、第１遊技者が所有する遊技媒体を使用した景品交換を許可する。交換許可部１２４は、景品交換を要求した要求者が、カード挿入部１０２に挿入された会員カードにより特定される会員本人である場合、およびその会員と同一グループに属する他の会員である場合、カード挿入部１０２に挿入された会員カードにより特定される会員が所有している遊技媒体を使用した景品交換を許可してよい。
【００３６】
交換許可部１２４は、要求者が同一グループに属する他の会員である場合には、挿入された会員カードにより特定される会員が所有している貯遊技媒体を使用した景品交換のみを許可してよい。つまり、交換許可部１２４は、要求者が同一グループに属する他の会員である場合には、挿入された会員カードにより特定される会員が所有している持遊技媒体を使用した景品交換を許可しなくてよい。
【００３７】
一方、交換許可部１２４は、要求者により選択された第１遊技者が所有する貯遊技媒体または持遊技媒体を使用した景品交換を許可してよい。交換許可部１２４は、要求者がカード挿入部１０２に挿入された会員カードにより特定される会員本人である場合、その会員が所有する貯遊技媒体に加えて、持遊技媒体を使用した景品交換を許可してよい。
【００３８】
表示制御部１１４は、表示部１０６に表示される画面を制御する。表示制御部１１４は、遊技者からの景品交換の要求を受け付けた場合に、景品交換に必要な情報を遊技者に選択させるための画面を表示部１０６に表示させる。景品交換を要求してきた要求者が、カード挿入部１０２に挿入された会員カードにより特定される会員本人である場合、貯遊技媒体と持遊技媒体とのいずれかを要求者に選択させるための選択画面を表示部１０６に表示させてよい。表示制御部１１４は、使用される会員カードの会員が所有する貯遊技媒体の数および持遊技媒体の数の両方が景品交換に要する数以上である場合だけ、選択画面を表示部１０６に表示させてよい。
【００３９】
選択部１１６は、要求者が現在使用中の会員カードの会員本人である場合、要求者が所有する遊技媒体のうちで遊技媒体管理機関に預けられている遊技媒体である貯遊技媒体と、要求者が所有する遊技媒体のうちで遊技媒体管理機関に預けられていない遊技媒体である持遊技媒体とのいずれか一方を、景品交換に使用する遊技媒体として選択させてよい。選択部１１６は、要求者が挿入された会員カードにより特定される会員と同一人物である場合、景品交換に使用する遊技媒体として、その会員が所有している貯遊技媒体および持遊技媒体のいずれか一方を要求者である会員本人に選択させてよい。本実施形態では、選択部１１６は、タッチパネル形式の表示部１０６を介して要求者から選択を受け付ける。しかし、選択部１１６は、表示部１０６以外の別途台間機１００に設けられたボタン、音声認識装置、要求者が所有するスマートフォンなどの携帯端末などの他のユーザインタフェースを介して要求者から選択を受け付けてよい。
【００４０】
処理命令部１１８は、景品交換に使用する遊技媒体の数を景品交換に要する数だけ減じる処理を遊技媒体管理装置２００に命令する。処理命令部１１８は、景品交換の要求者が使用される会員カードの会員本人であり、その要求者によって貯遊技媒体が選択された場合、要求者が所有する貯遊技媒体の数を景品交換に要する数だけ減じる処理を遊技媒体管理装置２００に命令してよい。また、処理命令部１１８は、景品交換の要求者が使用される会員カードの会員本人であり、要求者によって持遊技媒体が選択された場合、要求者が所有する持遊技媒体の数を景品交換に要する数だけ減じる処理を遊技媒体管理装置２００に命令してよい。景品交換の要求者が使用される会員カードの会員と同一グループの他の会員である場合、使用される会員カードの会員が所有している貯遊技媒体の数を景品交換に要する数だけ減じる処理を遊技媒体管理装置２００に命令してよい。
【００４１】
遊技媒体管理装置２００は、処理命令部１１８からの命令に応じて、対応する遊技媒体の数を景品交換に要する数だけ減じる。遊技媒体管理装置２００は、要求者が使用されている会員カードの会員本人であり、要求者によって貯遊技媒体が選択された場合に、要求者が所有する貯遊技媒体の数を景品交換に要する数だけ減じる。遊技媒体管理装置２００は、要求者が使用されている会員カードの会員本人であり、要求者によって持遊技媒体が選択された場合に、要求者が所有する持遊技媒体の数を景品交換に要する数だけ減じる。遊技媒体管理装置２００は、要求者が使用される会員カードの会員と同一グループの他の会員である場合、使用される会員カードの会員が所有している貯遊技媒体の数を景品交換に要する数だけ減じる。
【００４２】
要求者が使用されている会員カードの会員本人であり、要求者が所有する貯遊技媒体の数が景品交換に要する数以上であり、かつ要求者が所有する持遊技媒体の数が景品交換に要する数未満の場合、表示制御部１１４は、選択画面を表示部１０６に表示させなくてよい。この場合、処理命令部１１８は、要求者から景品交換の要求を受け付けたことに対応して、要求者が所有する貯遊技媒体の数を景品交換に要する数だけ減じる処理を遊技媒体管理装置２００に命令してよい。
【００４３】
また、要求者が使用されている会員カードの会員本人であり、要求者が所有する貯遊技媒体の数が景品交換に要する数未満であり、かつ要求者が所有する持遊技媒体の数が景品交換に要する数以上である場合にも、表示制御部１１４は、選択画面を表示部１０６に表示させなくてもよい。この場合、処理命令部１１８は、要求者から景品交換の要求を受け付けたことに対応して、要求者が所有する持遊技媒体の数を景品交換に要する数だけ減じる処理を遊技媒体管理装置２００に命令してよい。
【００４４】
表示命令部１２０は、遊技者からの要求に応じた情報を表示端末４００に表示するよう端末制御装置３００に命令する。表示命令部１２０は、例えば、要求者から要求された景品交換に関する景品交換要求情報を表示端末４００に表示するよう端末制御装置３００に命令する。景品交換要求情報は、例えば、景品交換を要求している遊技者の氏名、会員番号、その会員番号に対応付けて登録されている顔画像、景品交換に使用する会員カードに対応して登録されている遊技者の氏名および会員番号、その会員番号に対応付けて登録されている顔画像などの会員情報、使用する会員カードの会員が所有する持遊技媒体および貯遊技媒体の数、要求している景品交換の内容、引き落とし方法（貯遊技媒体または持遊技媒体）、引き落としに必要な遊技媒体の数、景品交換を要求している遊技者が遊技している遊技機の台番号などの遊技者の場所（注文者の場所）の情報などを含む。
【００４５】
図５は、顔認証装置３２０の機能ブロックの一例を示す図である。顔認証装置３２０は、顔画像格納部３２２、顔画像取得部３２４、および判断部３２６を備える。顔画像格納部３２２は、複数の遊技者のそれぞれに対応づけて顔画像およびグループ情報を格納する。顔画像格納部３２２は、複数の遊技者の会員番号のそれぞれに対応付けて、それぞれの遊技者の顔画像およびグループ情報を格納してよい。顔画像取得部３２４は、台間機１００から認証要求を受信する。認証要求は、台間機１００の撮像部１３０により撮像された台間機１００に併設された遊技台の前に座っている遊技者の顔画像、およびカード挿入部１０２に挿入されている会員カードの会員番号を含んでよい。
【００４６】
判断部３２６は、要求者が撮像された撮像画像である遊技台の前に座っている遊技者の顔画像を、顔画像格納部３２２に格納されている複数の顔画像のそれぞれと比較する。判断部３２６は、比較結果に基づいて、要求者が挿入されている会員カードの会員である第１遊技者か、第１遊技者と同一のグループに属する他の会員である第２遊技者か、第１遊技者および第２遊技者以外の遊技者かを判断する。判断部３２６は、判断結果を台間機１００に提供する。判断結果の提供を受けた台間機１００の要求者特定部１２２は、判断部３２６による判断結果に基づいて、要求者が第１遊技者または第２遊技者であることを特定する。
【００４７】
図６は、顔画像格納部３２２に格納される会員に関する情報を示すテーブルの一例を示す図である。顔画像格納部３２２は、会員番号に対応するカード番号、会員の顔画像、会員が属しているグループを識別するグループ情報を含むテーブルを格納している。
【００４８】
図７は、表示端末４００の機能ブロックの一例を示す図である。表示端末４００は、表示部４０２、表示制御部４０４、注文受付判定部４０６、およびサービス完了判定部４０８を備える。表示部４０２は、例えば、タッチパネル形式の液晶パネルである。表示部４０２は、端末制御装置３００からの指示に応じて、顔画像格納部３２２に予め格納されている要求者の顔画像、および顔画像格納部３２２に予め格納されている挿入された会員カードの会員の顔画像を含む景品交換要求情報などを表示する。注文受付判定部４０６は、表示部４０２に表示された景品交換要求情報を参照して、遊技者から要求された景品の交換が可能であるかことを確認して注文を受け付けたことを、店員が表示部４０２を介して指示したか否かを判定する。注文受付判定部４０６は、店員が注文を受け付けたと判定した場合、その旨を端末制御装置３００に通知する。端末制御装置３００は、注文を受け付けたことを台間機１００の表示部１０６を介して遊技者に通知するよう台間機１００に指示する。
【００４９】
サービス完了判定部４０８は、注文された景品が遊技者に提供されたことを店員が表示部４０２を介して指示したか否かを判定する。なお、店員は、表示部４０２に表示されている、使用中の会員カードの会員に予め関連付けて顔画像格納部３２２に格納されている顔画像、または使用中の会員カードの会員と同一グループに属する会員に予め関連付けて顔画像格納部３２２に格納されている顔画像と、要求者の実際の顔とを比較して、要求者が会員本人か、会員の同一グループに属する他の会員本人であるかを目視により確認する。店員は、本人確認できた場合のみ、注文された景品を要求者である遊技者に提供する。店員は、景品が遊技者に提供されたことを表示部４０２を介して指示する。サービス完了判定部４０８は、注文された景品が遊技者に提供されたと判定した場合、その旨を端末制御装置３００に通知する。端末制御装置３００は、注文された景品が遊技者に提供されたという通知を受けて、表示端末４００への今回の景品交換に関する情報の表示を終了させるように表示端末４００に指示してよい。
【００５０】
図８は、台間機１００におけるワゴンサービスの処理手順の一例を示すフローチャートである。図９Ａから図９Ｅは、ワゴンサービスの処理中に台間機１００の表示部１０６に表示される画面の一例を示す図である。
【００５１】
まず、遊技者が遊技台に座り、台間機１００のカード挿入部１０２に会員カードを挿入すると、カード情報取得部１０４は、会員カードの挿入を検知して、挿入された会員カードから会員番号を取得する（Ｓ１００）。さらに、台間機１００は、遊技者の認証要求を行う（Ｓ１０２）。台間機１００は、台間機１００に設けられた撮像部１３０により遊技者を撮像し、撮像された画像から遊技者の顔を含む顔画像を抽出し、顔画像と会員番号とを顔認証装置３２０に提供することで、遊技者の認証要求を行う。
【００５２】
認証要求後、表示制御部１１４は、表示部１０６にメインメニュー画面を表示する（Ｓ１０４）。表示制御部１１４は、メインメニュー画面として、例えば、図９Ａに示すような画面を表示部１０６に表示させてよい。メインメニュー画面は、遊技者が飲食料品、嗜好品などの景品を遊技者が遊技している遊技台の所まで持ってきてもらうサービスであるワゴンサービスを要求できる「ワゴンサービス」ボタンを含む。
【００５３】
遊技者によりワゴンサービスが選択されると（Ｓ１０６）、要求者特定部１２２は、グループ判定を行う（Ｓ１０８）。要求者特定部１２２は、顔認証装置３２０の遊技者の顔認証の結果に基づいて、要求者が挿入された会員カードの会員本人であるか、その会員と同一グループの他の会員であるか、それ以外の会員であるかを判定する。
【００５４】
表示制御部１１４は、要求者が挿入された会員カードの会員本人である場合、本人ワゴンサービス処理を実行する（Ｓ１１２）。一方、要求者が挿入された会員カードの会員本人でない場合、要求者特定部１２２は、要求者が挿入された会員カードの会員と同一のグループであるか否かを判定する（Ｓ１１４）。要求者が挿入された会員カードの会員と同一のグループでない場合、挿入された会員カードを使用したワゴンサービスの要求を受け付けられないので、台間機１００はワゴンサービスの処理フローから抜けて、通常の遊技処理を継続する（Ｓ１１５）。なお、通常、要求者が挿入された会員カードの会員と同一でない場合には、その会員カードを利用した遊技はできないので、台間機１００は、表示部１０６に遊技不可である旨、または本人の会員カードを挿入するか、現金、またはプリペイドカードを使用する旨を表示してよい。
【００５５】
要求者が挿入された会員カードの会員と同一のグループである場合、表示制御部１１４は、遊技媒体管理装置２００から挿入された会員カードの会員の貯遊技媒体の数を示す貯遊技媒体情報を取得する（Ｓ１１６）。次いで、表示制御部１１４は、使用される貯遊技媒体の数が、景品交換に要する数以上であるか否かを判定することで、引き落とし可能な貯遊技媒体があるか否かを判定する（Ｓ１１８）。引き落とし可能な貯遊技媒体がない場合、台間機１００はワゴンサービスの処理フローから抜けて、通常の遊技処理を継続する（Ｓ１１５）。
【００５６】
引き落とし可能な貯遊技媒体がある場合、表示制御部１１４は、表示部１０６に図９Ｂに示すような注文呼出選択画面を表示する（Ｓ１２０）。注文呼出選択画面は、表示部１０６によりワゴンサービスの注文を行う場合に選択される「注文」ボタン、および店員を呼び出してワゴンサービスの注文を行う「呼出」ボタンを含んでよい。さらに、注文呼出選択画面は、挿入されている会員カードの会員の氏名、その会員に関連付けて顔画像格納部３２２に予め格納されている遊技者の顔画像、その会員が所有している貯遊技媒体の数、その会員が属しているグループ名を含んでよい。
【００５７】
要求者である遊技者が、注文呼出選択画面上の「注文」ボタンをタッチすることで、注文選択が行われると（Ｓ１２２）、表示制御部１１４は、図９Ｃに示すような注文画面を表示部１０６に表示する（Ｓ１２４）。注文画面は、ワゴンサービスにより遊技者に提供可能な飲食料品、嗜好品などの景品の選択ボタンを含んでよい。
【００５８】
注文画面上で遊技者により所望の景品の選択が行われると（Ｓ１２６）、表示制御部１１４は、図９Ｄに示すような貯遊技媒体引き落とし画面を表示する（Ｓ１２８）。貯遊技媒体引き落とし画面は、引き落としされる貯遊技媒体の所有者である会員の氏名および顔画像、グループ名、現在の貯遊技媒体の数、注文を依頼する場合の「注文」ボタン、および注文をキャンセルする場合の「キャンセル」ボタンを含んでよい。
【００５９】
貯遊技媒体引き落とし画面上で、要求者が「注文」ボタンをタッチして、注文操作をすると（Ｓ１３０）、処理命令部１１８は、選択された景品の交換に要する数だけ挿入されている会員カードの会員の貯遊技媒体の数を減じるように、貯遊技媒体の引き落とし処理を遊技媒体管理装置２００に命令する（Ｓ１３２）。
【００６０】
次いで、遊技媒体管理装置２００が引き落とし処理に成功すると、処理命令部１１８は、遊技媒体管理装置２００から引き落とし完了の通知を受け付ける（Ｓ１３４）。遊技媒体管理装置２００から引き落とし完了の通知を受け付けると、注文情報を端末制御装置３００に送信する（Ｓ１３６）。注文情報は、要求者の会員番号および顔画像、使用される会員カードの会員番号よび顔画像、選択された景品の情報、景品の数、引き落とし方法、引き落としされる遊技媒体の数、要求者が遊技中の遊技機の台番号などの要求者がいる場所の情報などを含んでよい。
【００６１】
景品提供者である店員の表示端末４００は、台間機１００から送信された注文情報を端末制御装置３００を介して受信する（Ｓ１３８）。表示端末４００は、注文情報を含む注文受付画面を表示する（Ｓ１４０）。
【００６２】
以上の処理により、景品交換を要求してきた要求者が、景品交換に使用される遊技媒体の所有者でない場合でも、その所有者と予め関連付けられた同一グループに属する遊技者であれば、景品交換を受け付ける。これにより、遊技者は、遊技者本人の会員カード以外に、例えば家族の会員カードを使用して、ワゴンサービスなどの景品交換のサービスの提供を受けることができる。したがって、遊技媒体を使用した景品交換の利便性を向上させることができる。
【００６３】
図１０は、台間機１００からの認証要求に応じて顔認証装置３２０が実行するグループ判定の処理手順の一例を示すフローチャートである。
【００６４】
台間機１００からの認証要求により、顔画像取得部３２４は、台間機１００から要求者の顔画像、および挿入されている会員カードの会員番号を取得する（Ｓ２００）。判断部３２６は、顔画像格納部３２２を参照して、取得した会員番号に関連付けられた顔画像と、要求者の顔画像とを比較することで、要求者が挿入されている会員カードの会員本人かどうかを判断する（Ｓ２０２）。会員本人であれば、判断部３２６は、会員本人であることを示す本人確定を判断結果として台間機１００に送信する（Ｓ２０４）。
【００６５】
会員本人でなければ、判断部３２６は、挿入されている会員カードの会員番号に関連付けられた同一グループの他の会員の顔画像と、要求者の顔画像とを比較することで、要求者が挿入されている会員カードの会員と同一グループに属する会員であるか否かを判断する（Ｓ２０６）。要求者が挿入されている会員カードの会員と同一グループに属する会員であれば、判断部３２６は、同一グループの会員であることを示すグループ確定を判断結果として台間機１００に送信する（Ｓ２０８）。
【００６６】
会員本人でも、同一グループの会員でもなければ、判断部３２６は、会員本人でも同一グループの会員でもない他人であることを示す他人確定を判断結果として台間機１００に送信する（Ｓ２１０）。
【００６７】
以上の通り、顔認証装置３２０は、顔画像を利用した認証処理により、景品交換の要求者が、会員本人か、同一グループの会員であるかを判断する。
【００６８】
図１１は、挿入された会員カードが要求者本人の会員カードである場合のワゴンサービスの処理手順の一例を示すフローチャートである。
【００６９】
図８に示すフローチャートのステップＳ１１０において、要求者特定部１２２が、挿入された会員カードが要求者本人の会員カードであると判断した場合、表示制御部１１４は、図９Ｂに示すような注文呼出選択画面を表示する。注文呼出選択画面には、顔画像格納部３２２に格納された要求者本人の顔画像が含まれてよい。
【００７０】
注文呼出選択画面上で、要求者が「注文」ボタンをタッチして、注文を選択すると（Ｓ３０２）、表示制御部１１４は、図９Ｃに示すような注文画面を表示する（Ｓ３０４）。注文画面上で遊技者により所望の景品の選択が行われると（Ｓ３０６）、表示制御部１１４は、要求者が所有する貯遊技媒体または持遊技媒体の数が、選択された景品の交換に要する数を満たすか否かを判定することで、引き落とし可能な貯遊技媒体または持遊技媒体があるか否かを判定する（Ｓ３０８）。引き落とし可能な貯遊技媒体および持遊技媒体がなければ、表示制御部１１４は、表示部１０６に景品交換ができない旨を表示して、遊技処理部１０８が、遊技処理を実行する（Ｓ３１０）。遊技処理部１０８は、遊技者が遊技台を介して行った遊技操作に応じた遊技処理を実行してよい。
【００７１】
引き落とし可能な貯遊技媒体または持遊技媒体があれば、表示制御部１１４は、引き落とし可能な遊技媒体が、貯遊技媒体または持遊技媒体のみか否かを判定する（Ｓ３１２）。引き落とし可能な遊技媒体が貯遊技媒体のみであれば、処理命令部１１８は、選択された景品の交換に要する数だけ要求者の貯遊技媒体の数を減じるように、貯遊技媒体の引き落とし処理を遊技媒体管理装置２００に命令する（Ｓ３２０）。
【００７２】
引き落とし可能な遊技媒体が持遊技媒体のみであれば、処理命令部１１８は、選択された景品の交換に要する数だけ要求者の持遊技媒体の数を減じるように、持遊技媒体の引き落とし処理を遊技媒体管理装置２００に命令する（Ｓ３２２）。
【００７３】
引き落とし可能な遊技媒体が貯遊技媒体および持遊技媒体の両方であれば、表示制御部１１４は、図１２に示すような選択画面を表示部１０６に表示する（Ｓ３１４）。選択画面には、景品交換に用いる遊技媒体として、貯遊技媒体を選択する場合の「貯玉」ボタン、および持遊技媒体を選択する場合の「持玉」ボタンを含んでよい。
【００７４】
選択画面上で引き落としに用いる遊技媒体の選択の操作が行われ（Ｓ３１６）、要求者が貯遊技媒体を選択した場合には、処理命令部１１８は、貯遊技媒体の引き落とし処理を遊技媒体管理装置２００に命令する（Ｓ３２０）。要求者が持遊技媒体を選択した場合には、処理命令部１１８は、持遊技媒体の引き落とし処理を遊技媒体管理装置２００に命令する（Ｓ３２２）。
【００７５】
次いで、遊技媒体管理装置２００が引き落とし処理に成功すると、処理命令部１１８は、遊技媒体管理装置２００から引き落とし完了の通知を受け付ける（Ｓ３２４）。遊技媒体管理装置２００から引き落とし完了の通知を受け付けると、注文情報を端末制御装置３００に送信する（Ｓ３２６）。
【００７６】
処理命令部１１８が、店員が注文を受け付けたことを示す注文受付完了を端末制御装置３００から受信すると（Ｓ３２８）、表示制御部１１４は、図９Ｅに示すような注文が正常に受け付けられたことを示す注文完了画面を表示部１０６に表示する（Ｓ１３６）。
【００７７】
以上の通り、要求者が、景品交換に使用される遊技媒体の所有者である場合、要求者は、自身が所有する貯遊技媒体のほかに自身が所有する持遊技媒体も選択できる。これにより、景品交換時の遊技者の利便性を向上させることができる。例えば、遊技者がワゴンサービスを利用する場合に、本来、差し引かれる必要のない手数料がかかってしまうことを防止でき、遊技者が不利益を被ることを防止できる。
【００７８】
図１３は、表示端末４００におけるワゴンサービスの処理手順の一例を示すフローチャートである。図１４Ａから図１４Ｃは、ワゴンサービスの処理中に表示端末４００の表示部４０２に表示される画面の一例を示す図である。
【００７９】
表示制御部４０４は、図８のステップＳ１３８で示すように端末制御装置３００から注文情報を受信して、ステップＳ１４０で示すように、注文受付画面を表示部４０２に表示している。注文受付画面は、例えば、図１４Ａに示すような画面でよい。店員が、注文受付画面を参照して、注文された景品が提供できると判断すると、注文受付画面上で店員が注文受付の操作を実行する（Ｓ４００）。注文受付画面には、顔画像格納部３２２に格納された要求者として特定された遊技者の顔画像、会員番号、グループ名、氏名が登録カードの情報として含まれる。さらに、注文受付画面には、顔画像格納部３２２に格納された、挿入されている会員カードに対応する顔画像、会員番号、グループ名、氏名が利用カードの情報として含まれる。また、注文受付画面には、要求者が遊技中の遊技機の台番号が、要求者がいる場所の情報として含まれる。
【００８０】
そして、図１４Ａに示す注文受付画面上の「受付」ボタンをタッチすることで、店員は注文受付の操作を実行する。注文受付判定部４０６は、注文受付画面上で店員が注文受付の操作を実行したか否かを判定する。
【００８１】
注文受付判定部４０６は、注文受付の操作が実行されたことを検知すると、注文受付完了を端末制御装置３００に送信する（Ｓ４０２）。台間機１００は、端末制御装置３００を介して注文受付完了を受信する（Ｓ４０４）。次いで、台間機１００の表示制御部１１４は、図９Ｅに示すような注文完了画面を表示部１０６に表示する（Ｓ４０６）。表示部１０６に注文完了画面が表示されると、台間機１００は、注文完了画面が正常に表示されたことを示す注文完了受付を端末制御装置３００を介して表示端末４００に送信し（Ｓ４０８）、表示端末４００は、注文完了受付を受信する（Ｓ４１０）。
【００８２】
表示端末４００が注文完了受付を受信すると、端末制御装置３００は、お届け情報画面を表示部４０２に表示するよう表示端末４００に指示する。表示制御部４０４は、図１４Ｂに示すようなお届け情報画面を表示部４０２に表示する（Ｓ４１２）。
【００８３】
店員は、景品の準備および遊技者への景品の運搬を行い（Ｓ４１４）、表示部４０２に表示されたお届け情報画面を参照して、実際に景品を要求してきた人物が、登録カードの顔画像、または利用カードの顔画像と同一人物であるか否かを目視で確認することで、本人確認を行う（Ｓ４１６）。
【００８４】
本人であることを確認できれば（Ｓ４１８）、店員は、景品として例えば飲料品を要求者に提供する（Ｓ４２０）。飲料品などの景品の提供が完了すると、店員は、景品の提供が終了したことを示すお届け完了の操作を実行する（Ｓ４２２）。店員は、図１４Ｂに示すお届け情報画面上の「完了」ボタンをタッチすることで、お届け完了の操作を実行する。サービス完了判定部４０８は、お届け情報画面上の「完了」ボタンがタッチされたか否かを判定することで、注文された景品が遊技者に提供されたか否かを判定する。サービス完了判定部４０８は、お届け情報画面上の「完了」ボタンがタッチされたと判定すると、お届け完了を端末制御装置３００に送信する（Ｓ４２４）。端末制御装置３００は、お届け完了を受信すると（Ｓ４２６）、端末制御装置３００は、図１４Ｃに示すような注文完了画面を表示部４０２に表示するよう表示端末４００に指示する。指示を受けて、表示制御部４０４は、注文完了画面を表示部４０２に表示する（Ｓ４２８）。一定時間経過後、表示制御部４０４は、注文完了画面を閉じて、注文完了処理を行う（Ｓ４３０）。
【００８５】
本人であることが確認できなければ（Ｓ４１８）、店員は、お届け情報画面上の「キャンセル」ボタンをタッチすることで、キャンセル処理を実行する（Ｓ４３２）。サービス完了判定部４０８は、お届け情報画面上の「キャンセル」ボタンがタッチされたことと判定した場合、注文キャンセルを端末制御装置３００に送信する。端末制御装置３００は、注文キャンセルを受信すると、端末制御装置３００は、キャンセル画面を表示部４０２に表示するよう表示端末４００に指示する。指示を受けて、表示端末４００は、キャンセル画面を表示する（Ｓ４３４）。
【００８６】
以上の通り、景品の提供を行う店員が所持する表示端末４００には、要求者として特定された会員の顔画像と、使用される会員カードの会員の顔画像とが表示される。よって、店員は、実際に景品を要求してきた人物が、登録カードの顔画像、または利用カードの顔画像と同一人物であるか否かを目視で確認できる。よって、使用されようとしている会員カードが、要求者本人のカードでも、要求者と同一グループの会員のカードでもない場合に、不正にその会員カードが使用されることを未然に防ぐことができる。
【００８７】
以上、本実施形態によれば、景品交換を要求してきた要求者が、景品交換に使用される遊技媒体の所有者でない場合でも、その所有者と予め関連付けられた同一グループに属する遊技者であれば、景品交換を受け付ける。これにより、遊技者は、遊技者本人の会員カード以外に、例えば家族の会員カードを使用して、ワゴンサービスなどの景品交換のサービスの提供を受けることができる。したがって、遊技媒体を使用した景品交換の利便性を向上させることができる。
【００８８】
さらに、遊技者本人の会員カードを使用して景品交換を行う場合には、景品交換に必要な遊技媒体として、遊技者は、自身が所有する貯遊技媒体のほかに自身が所有する持遊技媒体も選択できる。これにより、景品交換時の遊技者の利便性を向上させることができる。例えば、封入式遊技台で遊技中の遊技者が、持遊技媒体を使用してワゴンサービスなどの景品交換を即座にできる。また、遊技者がワゴンサービスを利用する場合に、本来、差し引かれる必要のない手数料がかかってしまうことを防止でき、遊技者が不利益を被ることを防止できる。
【００８９】
なお、本実施形態に係る台間機１００が備える各部は、台間機１００における景品交換受付に関する各種処理を行う、コンピュータ読み取り可能な記録媒体に記録されたプログラムをインストールし、このプログラムをコンピュータに実行させることで、構成してもよい。つまり、コンピュータに台間機１００の景品交換受付に関する各種処理を行うプログラムを実行させることにより、台間機１００が備える各部としてコンピュータを機能させることで、台間機１００を構成してもよい。
【００９０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００９２】
１００  台間機
１０２  カード挿入部
１０４  カード情報取得部
１０６  表示部
１０８  遊技処理部
１１０  景品交換受付部
１１２  遊技媒体情報取得部
１１４  表示制御部
１１６  選択部
１１８  処理命令部
１２０  表示命令部
１２２  要求者特定部
１２４  交換許可部
１３０  撮像部
１３２  画像処理部
２００  遊技媒体管理装置
２０２  遊技媒体情報格納部
２０４  遊技媒体情報提供部
２０６  遊技媒体情報更新部
３００  端末制御装置
３１０  無線基地局
３２０  顔認証装置
３２２  顔画像格納部
３２４  顔画像取得部
３２６  判断部
４００  表示端末
４０２  表示部
４０４  表示制御部
４０６  注文受付判定部
４０８  サービス完了判定部
５００  遊技媒体管理機関
【図１】
0006387784.tif 000002
【図２】
0006387784.tif 000003
【図３】
0006387784.tif 000004
【図４】
0006387784.tif 000005
【図５】
0006387784.tif 000006
【図６】
0006387784.tif 000007
【図７】
0006387784.tif 000008
【図８】
0006387784.tif 000009
【図９Ａ】
0006387784.tif 000010
【図９Ｂ】
0006387784.tif 000011
【図９Ｃ】
0006387784.tif 000012
【図９Ｄ】
0006387784.tif 000013
【図９Ｅ】
0006387784.tif 000014
【図１０】
0006387784.tif 000015
【図１１】
0006387784.tif 000016
【図１２】
0006387784.tif 000017
【図１３】
0006387784.tif 000018
【図１４Ａ】
0006387784.tif 000019
【図１４Ｂ】
0006387784.tif 000020
【図１４Ｃ】
0006387784.tif 000021